(57)【要約】【課題】磁界共鳴により電力供給を行う電力供給装置において、送電用の共鳴回路に周波数が異なる複数の信号を供給することなく、安定した電力供給を実施できるようにする。【解決手段】電子機器２に電力供給を行う電力供給装置１０は、ＬＣ発振回路の一つであるクラップ発振回路にて構成されており、クラップ発振回路の発振によりコイルＬｂから発生する磁界を利用した磁界共鳴により、電子機器２側のＬＣ共振回路へ電力供給を行う。電力供給装置１０の送電用のコイルＬｂは、電子機器２側の受電用のコイルＬａのインピーダンスと略同じインピーダンスに設定されている。この結果、電子機器２と電力供給装置１０との距離が変化した際、電力伝送効率が低下するのを防止できる。【選択図】図１
2015065763.tif 000002
【特許請求の範囲】
【請求項１】
直流電源から電力供給を受けて発振するＬＣ発振回路にて構成され、
当該ＬＣ発振回路を構成する送電用コイルと、電気負荷に設けられたＬＣ共振回路を構成する受電用コイルとの共鳴により、前記電気負荷に電力供給を行う電力供給装置であって、
前記送電用コイルのインダクタンスを、前記受電用コイルのインダクタンスと略同一にしたことを特徴とする電力供給装置。
【請求項２】
前記ＬＣ発振回路は、コルピッツ発振回路若しくは該コルピッツ発振回路のコイルにコンデンサを直列接続したクラップ発振回路であることを特徴とする請求項１に記載の電力供給装置。
【発明の詳細な説明】
【技術分野】
【０００１】
本発明は、磁界共鳴により電力供給を行う電力供給装置に関する。
【背景技術】
【０００２】
従来、無線による電力伝送技術として、コイルやコンデンサが共鳴して結合されることにより電力伝送を行う磁界共鳴方式の電力伝送技術が知られている。
この電力伝送技術では、送電側の共鳴回路と受電側の共鳴回路との間の磁界共鳴による結合度が、共鳴回路間の距離により変化する。
【０００３】
これは、共鳴回路間の共鳴周波数が、共鳴回路間の距離に応じて変化するためであり、共鳴回路間の結合度（換言すれば電力伝送効率）を高めるには、共鳴回路間の距離に応じて、送信側共鳴回路に供給する電気信号（換言すれば送信信号）の周波数を調整する必要がある。
【０００４】
しかし、共鳴回路間の距離に応じて送信信号の周波数を調整するには、調整用の専用回路が必要であり、コストアップを招く。
そこで、従来、共鳴回路間の距離が変化しても、結合特性が結合度を一定に保つことができるように、送電側の共鳴回路に対し、共鳴周波数近傍の複数の周波数成分からなる電気信号を合成して供給することが提案されている（例えば、特許文献１参照）。
【０００５】
この提案の技術は、送信信号を、互いに周波数が異なる複数の電気信号で構成することにより、特定周波数の送信信号１波で電力伝送する場合に生じる伝送効率の変化を、複数の電気信号により相殺させて、共鳴回路間の距離が変化しても、伝送可能な電力を略一定にできるようにする、というものである。
【０００６】
従って、この提案の技術を利用すれば、磁界共鳴方式の電力伝送システムにおいて、送電側及び受電側の共鳴回路間の距離が変化しても、その距離変化の影響を受けることなく、安定した電力伝送を行うことができる。
【先行技術文献】
【特許文献】
【０００７】
【特許文献１】特開２０１０−２００５６３号公報
【発明の概要】
【発明が解決しようとする課題】
【０００８】
しかしながら、上記提案の技術では、送電側の共鳴回路に対し、周波数の異なる複数の送信信号を合成して供給する必要があり、各送信信号を生成する複数の信号生成回路、及び、各信号生成回路からの出力を合成する電力合成回路を設けなければならない。
【０００９】
このため、上記提案の技術を磁界共鳴方式の電力伝送システムに適用すると、受電側の共鳴回路に電力供給を行う電力供給装置の構成が複雑になり、電力供給装置のコストアップを招くという問題がある。
【００１０】
本発明は、こうした問題に鑑みなされたものであり、磁界共鳴により電力供給を行う電力供給装置において、送電用の共鳴回路に周波数が異なる複数の信号を供給することなく、電気負荷に対し安定した電力供給を実施できるようにすることを目的とする。
【課題を解決するための手段】
【００１１】
かかる目的を達成するためになされた請求項１に記載の発明は、
直流電源から電力供給を受けて発振するＬＣ発振回路にて構成され、
当該ＬＣ発振回路を構成する送電用コイルと、電気負荷に設けられたＬＣ共振回路を構成する受電用コイルとの共鳴により、前記電気負荷に電力供給を行う電力供給装置であって、
前記送電用コイルのインダクタンスを、前記受電用コイルのインダクタンスと略同一にしたことを特徴とする。
【００１２】
また、請求項２に記載の発明は、請求項１に記載の電力供給装置において、
前記ＬＣ発振回路は、コルピッツ発振回路若しくは該コルピッツ発振回路のコイルにコンデンサを直列接続したクラップ発振回路であることを特徴とする。
【発明の効果】
【００１３】
請求項１に記載の電力供給装置は、ＬＣ発振回路にて構成されており、ＬＣ発振回路を構成する送電用コイルのインダクタンスが、電気負荷に設けられたＬＣ共振回路を構成する受電用コイルのインダクタンスと略同一に設定されている。
【００１４】
このため、本発明の電力供給装置によれば、ＬＣ発振回路を構成する送電用コイルと、電気負荷側に設けられたＬＣ共振回路を構成する受電用コイルとの間の距離が変化した際、自身の発振周波数が、電気負荷側のＬＣ共振回路の共振周波数と一致するように自動調整されることになる。この結果、本発明の電力供給装置によれば、電気負荷との間の距離の変化によって、電気負荷への電力伝送効率が低下するのを抑制できる。なお、この理由については、後述の実施形態にて説明する。
【００１５】
次に、請求項２に記載の電力供給装置は、コルピッツ発振回路若しくはクラップ発振回路にて構成される。このため、この電力供給装置によれば、これら各発振回路を構成するコイルを、そのまま、送電用コイルとして利用することができ、装置構成をより簡単にすることができる。
【図面の簡単な説明】
【００１６】
【図１】実施形態の電力供給システムの構成を表す電気回路図である。
【図２】図１に示す電力供給システムの等価回路を表す説明図である。
【発明を実施するための形態】
【００１７】
以下に本発明の実施形態を図面と共に説明する。
図１に示すように、本実施形態の電力供給システムは、電気負荷である電子機器２と、電子機器２に対し非接触で電力供給を行う電力供給装置１０と、から構成されている。
【００１８】
電子機器２は、電力供給装置１０からの供送電力により動作する負荷Ｚ０と、コンデンサＣａとコイルＬａとの直列回路４と、この直列回路４と負荷Ｚ０との間の電流経路に設けられた抵抗Ｒと、を備える。
【００１９】
コンデンサＣａとコイルＬａとの直列回路４は、磁界共鳴により電力供給装置１０からの供送電力を受電するＬＣ共振回路を構成しており、抵抗Ｒは、ＬＣ共振回路から負荷Ｚ０に流れる電流を制限する。
【００２０】
一方、電力供給装置１０は、バッテリ等からなる直流電源２０から電源供給を受けて発振するクラップ発振回路にて構成されており、その発振によりコイルＬｂから発生する磁界を利用した磁界共鳴により、電子機器２側のＬＣ共振回路（直列回路４）へ電力供給を行う。
【００２１】
すなわち、電力供給装置１０は、コイルＬｂとコンデンサＣ０ｂとの直列回路１２、及び、この直列回路１２に並列接続された、コンデンサＣ１ｂ及びＣ２ｂの直列回路１４を備える。
【００２２】
そして、これら各直列回路１２、１４の一端（コイルＬｂのコンデンサＣ０ｂとは反対側、及び、コンデンサＣ１ｂのコンデンサＣ２ｂとは反対側）は、直流信号遮断用のコンデンサＣ３を介して、ＮＰＮトランジスタＱ１のベースに接続されている。
【００２３】
また、各直列回路１２、１４の他端（コンデンサＣ０ｂのコイルＬｂとは反対側、及び、コンデンサＣ２ｂのコンデンサＣ１ｂとは反対側）は、グランドに接地されている。
また、直列回路１４において、コンデンサＣ１ｂ−Ｃ２ｂ間の接続点は、抵抗Ｒ１を介してＮＰＮトランジスタＱ１のエミッタに接続されており、ＮＰＮトランジスタＱ１のエミッタは、抵抗Ｒ２を介してグランドに接地されている。
【００２４】
また、直流電源２０の正極側は、ＮＰＮトランジスタＱ１のコレクタに接続され、直流電源２０の負極側は、グランドに接地されている。
また、ＮＰＮトランジスタＱ１のベース−コレクタ間、及び、ベース−グランド間には、ＮＰＮトランジスタＱ１に動作用のバイアス電圧を供給する抵抗Ｒ４、Ｒ３がそれぞれ接続されている。
【００２５】
このように構成された電力供給装置１０においては、コイルＬｂ及びコンデンサＣ０ｂ、Ｃ１ｂ、Ｃ２ｂにて共振回路が形成されており、コンデンサＣ１ｂ、Ｃ２ｂにて分圧された信号がＮＰＮトランジスタＱ１にフィードバックされることにより発振する。
【００２６】
そして、電力供給装置１０は、その発振によりコイルＬｂから発生する磁界によって、電子機器２側のＬＣ共振回路（直列回路４）と共鳴（共振）させることで、電子機器２に対し電力供給を行う。
【００２７】
ところで、このように、電力供給装置１０から電子機器２に対し、磁界共鳴を利用して電力供給を行う場合、電力伝送効率を最大にするには、電力供給装置１０を構成しているクラップ発振回路の発振周波数を、電子機器２側でＬＣ共振回路を構成している直列回路４の共振周波数と一致させる必要がある。
【００２８】
しかし、このように周波数を一致させたとしても、電子機器２と電力供給装置１０との間の距離（詳しくは、電子機器２側で受電用コイルとして機能するコイルＬａと、電力供給装置１０側で送電用コイルとして機能するコイルＬｂとの間の距離）が変化すると、これらコイルＬａ−Ｌｂ間の結合量Ｍが変化する。
【００２９】
このため、コイルＬａ−Ｌｂ間の距離が変化すると、コイルＬａ−Ｌｂ間の共鳴周波数が変化して、電力伝送効率が低下する。
そこで、本実施形態では、こうした電力伝送効率の低下を抑制するために、電力供給装置１０の発振周波数を電子機器２側のＬＣ共振回路（直列回路４）の共振周波数と一致させるだけでなく、送電用コイルであるコイルＬｂのインダクタンスを、受電用コイルであるコイルＬａのインダクタンスと一致させている。
【００３０】
つまり、コイルＬａ、Ｌｂ間の相互インダクタンスをＬｍとすると、図１に示した電力供給システムは、図２に示すように記述できる。
図２に示す回路は、図１に示した電力供給システムから直列回路を除去した等価回路であり、電子機器２側の直列回路４と電力供給装置１０側の直列回路１２が、相互インダクタンスＬｍを介して接続されている。
【００３１】
そして、この場合、電子機器２において、コンデンサＣａとコイルＬａとの直列回路４にて構成されるＬＣ共振回路の共振周波数ｆａは、コイルＬａのインダクタンス、及び、コンデンサＣａの容量（キャパシタンス）を、これら各部の符号Ｌａ、Ｃａで表すと、次式（１）のように記述できる。
【００３２】
【数１】
2015065763.tif 000003
【００３３】
また、電力供給装置１０を構成するクラップ発振回路の発振周波数ｆｂは、コイルＬｂのインダクタンス、及び、コンデンサＣ０ｂ、Ｃ１ｂ、Ｃ２ｂのキャパシタンスを、これら各部の符号Ｌｂ、Ｃ０ｂ、Ｃ１ｂ、Ｃ２ｂで表すと、次式（２）のように記述できる。
【００３４】
【数２】
2015065763.tif 000004
【００３５】
そして、コイルＬａ−Ｌｂ間の距離が変化しても、電力供給装置１０の発振周波数ｆｂを、電子機器２側の共振周波数ｆａと一致させることができれば、電力供給装置１０から電子機器２に対し、電力伝送効率を低下させることなく、電力を供給することができる。
【００３６】
そこで、コイルＬａ−Ｌｂ間の距離が変化し、相互インダクタンスＬｍが変化しても、電子機器２側の共振周波数ｆａと電力供給装置１０側の発振周波数ｆｂとを一致させること（つまり、ｆａ＝ｆｂとすること）ができる条件を検討すると、上記（１）、（２）式から、次式（３）を導出することができ、「ｆａ＝ｆｂ」とするための条件としては、次式（４）にて規定することができる。
【００３７】
【数３】
2015065763.tif 000005
【００３８】
そして、（４）式から、コイルＬａ−Ｌｂ間の相互インダクタンスＬｍが変化しても、電力供給装置１０と電子機器２との間の共鳴周波数を一致させる（ｆａ＝ｆｂ）ことのできる条件は、送電用のコイルＬｂと受電用のコイルＬａのインダクタンスを一致させること（Ｌａ＝Ｌｂ）であることが判る。
【００３９】
そこで、本実施形態では、電力供給装置１０側の送電用コイルであるコイルＬｂのインダクタンスを、電子機器２側の受電用コイルであるコイルＬａのインダクタンスと一致（若しくは略一致）させているのである。
【００４０】
この結果、本実施形態の電力供給装置１０（換言すれば電力供給システム）によれば、電力供給装置１０と電子機器２との間の距離が変化しても、電力供給装置１０から電子機器２に対し、略最大の伝送効率で、電力を供給することができるようになる。
【００４１】
以上、本発明の一実施形態について説明したが、本発明は、上記実施形態に限定されるものではなく、本発明の要旨を逸脱しない範囲内にて、種々の態様をとることができる。
例えば、上記実施形態では、電力供給装置１０は、クラップ発振回路にて構成されているものとして説明したが、電力供給装置１０は、ＬＣ発振回路であればよい。
【００４２】
つまり、電力供給装置１０は、例えば、一つのコイルと２つのコイルとで構成されるコルピッツ発振回路（換言すれば、上記実施形態の電力供給装置１０からコンデンサＣ０ｂを削除したもの）であっても、或いは、２つのコイルと一つのコンデンサとで構成されるハートレー発振回路であっても、送電用のコイルのインダクタンスを、受電用のコイルのインダクタンスと一致させることで、上記実施形態と同様の効果を得ることができる。
【符号の説明】
【００４３】
２…電子機器、４…直列回路（ＬＣ共振回路）、Ｌａ…コイル、Ｃａ…コンデンサ、Ｒ…抵抗、Ｚ０…負荷、１０…電力供給装置、１２，１４…直列回路、Ｌｂ…コイル、Ｃ０ｂ，Ｃ１ｂ，Ｃ２ｂ，Ｃ３…コンデンサ、Ｒ１，Ｒ２，Ｒ３，Ｒ４…抵抗、Ｑ１…トランジスタ、２０…直流電源。
【図１】
2015065763.tif 000006
【図２】
2015065763.tif 000007